【手続補正書】
【提出日】平成30年11月29日(2018.11.29)
【手続補正１】
【補正対象書類名】特許請求の範囲
【補正対象項目名】全文
【補正方法】変更
【補正の内容】
【特許請求の範囲】
【請求項１】
通信装置であって、
所定の周期で繰り返し開始される期間であって、ネットワークに属する他の通信装置と共有する期間において、同期信号を送信または受信する第１の通信手段と、
前記第１の通信手段により通信する期間と異なる期間において、前記ネットワークに属する他の通信装置と通信を行う第２の通信手段と、
前記第２の通信手段による通信を行う期間を決定する決定手段と、を有し、
前記第２の通信手段により第１の他の通信装置と通信を行う第１の期間が前記決定手段により決定されており、かつ前記第１の他の通信装置と異なる第２の他の通信装置と前記第２の通信手段により通信する場合、前記決定手段は、前記第１の期間と、前記第２の他の通信装置と前記第２の通信手段により通信を行う第２の期間との少なくとも一部が重複するように前記第２の期間を決定することを特徴とする通信装置。
【請求項２】
前記決定手段は、前記第１の期間が前記決定手段により決定されておらず、かつ前記第２の他の通信装置と前記第２の通信手段により通信する場合、既定の期間を前記第２の期間として決定することを特徴とする請求項１に記載の通信装置。
【請求項３】
前記既定の期間は、前記第１の通信手段により通信する期間の直後から開始する期間であることを特徴とする請求項２に記載の通信装置。
【請求項４】
前記第１の通信手段により通信する期間および前記決定手段により決定した期間と異なる期間においてデータ受信制御を制限する制御手段を更に有することを特徴とする請求項１から３の何れか一項に記載の通信装置。
【請求項５】
前記決定手段によって複数の期間が決定されており、かつ前記第２の他の通信装置と前記第２の通信手段により通信する場合、前記決定手段は、前記複数の期間のうち、前記第２の通信手段による通信を介して前記第２の他の通信装置と実行するサービスと同じサービスを実行するための通信を行う期間と、前記第２の期間との少なくとも一部が重複するように、前記第２の期間を決定することを特徴とする請求項１から４の何れか一項に記載の通信装置。
【請求項６】
前記第１の期間と前記第２の期間とが重複する期間において、前記第２の通信手段によって複数の他の通信装置との通信を行うことを特徴とする請求項１から５の何れか一項に記載の通信装置。
【請求項７】
前記決定手段により前記第１の期間が決定されており、かつ前記第２の他の通信装置と前記第２の通信手段により通信する場合、前記決定手段により決定した前記第２の期間を前記第２の他の通信装置に通知する通知手段を更に有することを特徴とする請求項１から６の何れか一項に記載の通信装置。
【請求項８】
前記ネットワークは、Neighbor Awareness Networking(NAN)規格に準拠したNANクラスタであることを特徴とする請求項１から７の何れか一項に記載の通信装置。
【請求項９】
前記第１の通信手段により通信する期間は、NAN規格に準拠したDiscovery Window(DW)であること特徴とする請求項１から８の何れか一項に記載の通信装置。
【請求項１０】
前記同期信号は、NAN規格に準拠したSync Beaconであることを特徴とする請求項１から９の何れか一項に記載の通信装置。
【請求項１１】
通信装置の制御方法であって、
所定の周期で繰り返し開始される期間であって、ネットワークに属する他の通信装置と共有する期間において、同期信号を送信または受信する第１の通信工程と、
前記第１の通信工程において通信する期間と異なる期間において、前記ネットワークに属する他の通信装置と通信を行う第２の通信工程と、
前記第２の通信工程において第１の他の通信装置と通信を行う第１の期間を決定する第１の決定工程と、
前記第１の決定工程において前記第１の期間が決定されており、かつ前記第１の他の通信装置と異なる第２の他の通信装置と前記第２の通信工程における通信を行う場合、前記第１の期間と、前記第２の通信工程において前記第２の他の通信装置と通信する第２の期間との少なくとも一部が重複するように前記第２の期間を決定する第２の決定工程と、を有することを特徴とする制御方法。
【請求項１２】
コンピュータを、請求項１から１０の何れか一項に記載の通信装置として機能させるためのプログラム。
【手続補正２】
【補正対象書類名】明細書
【補正対象項目名】０００９
【補正方法】変更
【補正の内容】
【０００９】
上記目的を達成するための一手段として、本発明の通信装置は、所定の周期で繰り返し開始される期間であって、ネットワークに属する他の通信装置と共有する期間において、同期信号を送信または受信する第１の通信手段と、前記第１の通信手段により通信する期間と異なる期間において、前記ネットワークに属する他の通信装置と通信を行う第２の通信手段と、前記第２の通信手段による通信を行う期間を決定する決定手段と、を有し、前記第２の通信手段により第１の他の通信装置と通信を行う第１の期間が前記決定手段により決定されており、かつ前記第１の他の通信装置と異なる第２の他の通信装置と前記第２の通信手段により通信する場合、前記決定手段は、前記第１の期間と、前記第２の他の通信装置と前記第２の通信手段により通信を行う第２の期間との少なくとも一部が重複するように前記第２の期間を決定する。
【手続補正３】
【補正対象書類名】明細書
【補正対象項目名】０００８
【補正方法】変更
【補正の内容】
【０００８】
本発明は、上記課題に鑑みてなされたものであり、同期信号を送信または受信する期間と異なる期間において実行される通信における省電力化または効率化を行うことを目的とする。
【手続補正４】
【補正対象書類名】明細書
【補正対象項目名】００１０
【補正方法】変更
【補正の内容】
【００１０】
同期信号を送信または受信する期間と異なる期間において実行される通信における省電力化または効率化を行うことが可能となる。
【手続補正５】
【補正対象書類名】明細書
【補正対象項目名】００３６
【補正方法】変更
【補正の内容】
【００３６】
DW期間外のどの区間でデータリンク通信を要求するかは、Basic DLW Bitmap、Additional DLW Bitmap、Flexible DLW Bitmapで指定される。
【手続補正６】
【補正対象書類名】明細書
【補正対象項目名】００３７
【補正方法】変更
【補正の内容】
【００３７】
Basic DLW Bitmapの値によりで指定されるデータリンク区間は、１つ以上のNANデバイスとデータリンクを確立した場合に、当該確立されたNANデバイスに対して共通して、データリンク通信をする区間として要求する区間である。すなわち、NANデバイスが、一つのNANデバイスとデータリンクを確立した後で、そのデータリンクを維持したまま他のNANデバイスとデータリンクの確立を要求する場合に、同じBasic DLW Bitmapが指定され得る。
【手続補正７】
【補正対象書類名】明細書
【補正対象項目名】００４８
【補正方法】変更
【補正の内容】
【００４８】
このように、DW期間外の区間を利用することにより、NANデバイス101は、所望のサービスを実行可能な他の通信装置と、サービスを実行するためのデータリンク通信を速やかに開始することが可能となる。しかし、NANデバイス101がDW期間外の通信を、上記の手順により一対一で確立することによって、複数のNANデバイスそれぞれとデータリンクにおいてアプリケーションによる通信をしようとした場合に、以下の2つの課題が生じうる。